(57)【要約】【課題】最も広く利用されているトナー等を用いた複写機あるいは印刷機によって印字された印刷物は、文字や数字あるいは絵による印字情報の機密性があり、再生に供するための古紙として回収されることが少ないため、上質紙用の再生に供することのできる古紙を供給するために、印字された情報を物理的に消去する。【解決手段】蒸着されたトナー等は、支持体である紙の繊維の奥深くまで入り込んでいないので、鋭利な金属の刃をもつローラを高速に回転させて接触させることで、紙に印字されたトナー等を紙の一部分を含んで削り取る。処理した紙そのものを白紙として再利用することを目的とせず、印字情報の機密性を無くすことによって、リサイクル可能な古紙として得ることができる。上下の挿入ローラ１によって挿入された紙２は台座３に搬送される。印字された紙２が除去機構である金属刃ローラ４の下を通過する間にトナーを含む紙の一部分が削り取られる。除去されたトナーは、吸引することで集積し廃棄することができる。【選択図】図１
2006343703.tif 000002
【特許請求の範囲】
【請求項１】
物理的な摩擦によって、トナー等が吸着している支持体である紙の一部を含んだ部分まで剥離除去し、印字部を判別不能にすることで、印字情報を消去することを特徴とする方法である。
【発明の詳細な説明】
【技術分野】
【０００１】この発明は、トナー等による印字情報を物理的に消去する方法とその装置に関する。
【背景技術】
【０００２】従来の技術では、紙のリサイクルを実施する場合には、印刷物の支持体やトナーの成分を開発し剥離しやすくすることで、コピー用紙等の利用した用紙そのものを再利用することを図った技術が開発されているが、専用のインク、用紙、装置が必要となる。【０００３】また、紙の再利用に関しては、印字情報に機密性が存在するため、印字情報の機密性を保持して再生紙へと供給する方法としては、「古紙処理装置」（特許文献１参照）により、水を利用して紙をヘドロ状にした後、脱水して紙の圧縮物として回収する技術があるが、装置の大型化を強いられる。【０００４】印字情報の機密性を維持するためには、シュレッダー等によって裁断を行うが、繋ぎ合わせることによって情報を復活させることも可能である。一方、紙の再生に関しては、裁断により紙の繊維が小さくなることから、再生される紙の強度が落ちるだけでなく、紙の体積が大きくなり運搬や保存コストの上昇、あるいは処理過程における細片の飛散や浮力による水への溶解性の低下が起こる。【０００５】また、「複写用紙の再生方法及びその装置」（特許文献２参照）によれば、加熱により剥がれ易くしたトナーをフェルトに吸着させることで除去し、もとの白紙にもどして幾度も再利用しようとするものがあるが、紙の耐久性の低下を考慮する必要が生じる。【０００６】今回の技術に近い物としては、「紙再生方法」（特許文献３参照）によっても研磨し発生した紙粉を糊と混合し、再度圧着することで、印字情報が消去されることになるが、再生した紙自身を用いることは紙の耐久性や白色度において劣ることが予想される。また糊と混合する装置や圧着装置の大型化の必要性も生じる。さらに紙が再生されるがそのものを古紙として処理する際には、混合した糊などの除去の必要性も生じる。
【特許文献１】特願平０６−０３７９５５号広報
【特許文献２】特願平０４−０６９２０３号広報
【特許文献３】特願平０５−０８０９０８号広報
【発明の開示】
【発明が解決しようとする課題】
【０００７】しかしながら、以上の技術によれば、最も広く利用されているトナー等を用いた複写機あるいは印刷機によって印字された印刷物は、文字や数字あるいは絵による内容や情報の機密が無くなることにはならない。また、印字情報の機密性がある印刷物は、再生に供するための古紙として回収されることが少ない。【０００８】そこで、この発明は、トナー等による印字情報を物理的に消去する方法とその装置を提供することを課題とする。
【課題を解決するための手段】
【０００９】以上の課題を解決するために、第一発明は、物理的な摩擦によって、トナー等が吸着している支持体である紙の一部を含んだ部分まで剥離除去し、印字部を判別不能にすることで、印字情報を消去することを特徴とする方法である。【００１０】また、第二発明は、前記の除去手段として、紙の表面に蒸着されたトナー等および紙の繊維のうちトナーが入りこんだ部分を削りとることができる摩擦発生物を特徴とする装置である。
【発明の効果】
【００１１】第一発明、または第二発明によれば、最も広く利用されているトナー等を用いた複写機あるいは印刷機によって印字された印刷物の文字や数字あるいは絵による内容や情報を判別不能にした後、さらにシュレッダー等による裁断を行うことにより重要機密を保護することが可能になる。また、印字情報の機密性が無くなることによって、大型の機械を用いることなく、従来シュレッダー等によって裁断されていた印刷物を再生可能な古紙として得ることができる。
【発明を実施するための最良の形態】
【００１２】広く利用されている複写機あるいは印刷機によって印字された印刷物では、蒸着されたトナーは、支持体である紙の繊維の奥深くまで入り込んでいない。そこで、トナー等が吸着している支持体である紙の一部を含んだ部分まで剥離除去するための除去手段は、紙の表面に蒸着されたトナー等および紙の繊維のうちトナーが入りこんだ部分を削りとることができる限り、どのような手段であってもよく、例えば、サンドペーパー、ブラシ、ヤスリなどの摩擦発生物、あるいは金属刃を擁したローラーなどを例としてあげることができる。【００１３】また、処理した紙そのものを再利用することを目的としないため、比較的強い力で紙を固定し、比較的強い力で削りとることができ、硬い平面上に紙を固定し削りとり、ローラーによって搬送させながら削り取ることができる。
【実施例１】
【００１４】この発明の一実施形態を図１に示す。
そこで、鋭利な金属の刃をもつローラーを高速に回転させて接触させることで、紙に印字されたトナーを紙の一部分を含んで削り取る。上下の挿入ローラー１によって挿入された紙２は台座３に搬送される。印字された紙２が除去機構である金属刃ローラー４の下を通過する間にトナーを含む紙の一部分が削り取られる。金属刃ローラー４は、紙の進行方向と逆向きに高速回転する。その際の回転数は５００ｒｐｍ以上が望ましい。【００１５】台座３は金属刃ローラー４と紙との接着を調節するものである。支持ローラー５は、紙を安定して移動させるためのもので、金属刃ローラー４の直後に配置する。挿入ローラー１および支持ローラー５は除去機構で発生する抵抗より強い力で固定する必要があり、５ｇｆ／ｃｍ２以上の圧力を持つことが望ましい。除去されたトナーと紙の一部は、吸引することで集積し廃棄することができる。
「実施形態の効果」【００１６】この実施形態によれば、紙が破れない限り強い圧力で紙を固定して搬送移動させることができる。また、金属刃の幅を変えることで、削り取る部位を調整することができる。
「他の実施形態」【００１７】図１の実施形態では、物理的な摩擦を作る部分は鋭利な金属の刃をもつローラーであったが、他の実施形態では、図２に示すように、サンドペーパー状の摩擦発生物５を往復運動させることでも良い。また、摩擦発生物の大きさは印字されている範囲であればどのような大きさでも良く、大きくすることで効率を向上させることもできる。
【図面の簡単な説明】
【００１８】
【図１】この発明の一実施形態を示す斜視図である。
【図２】この発明の他の実施形態を示す斜視図である。
【符号の説明】
【００１９】  １  挿入ローラー
２  紙
３  台座
４  金属刃ローラー
５  支持ローラー
６  摩擦発生物
【図１】
2006343703.tif 000003
【図２】
2006343703.tif 000004